(57)【要約】      （修正有）【課題】本発明は、従来の点滅警告灯には、同時に沢山使った時、相互にバラバラに発光し、明るくない印象と言う重大な欠点などがあった。大型で小型化が困難であった。それらを改良した簡易警告灯及びその製造方法を提供することを目的とする。【解決手段】発光する複数の発光部と、点滅制御回路部、電源部とを有する点滅可能な警告灯において、対となる警告灯の発する信号｛他機の発光、電磁波、音波（超音波を含む）、振動または磁場変化｝を受信し、それに実質的に同期に近い周期光を発する回路部を有し、実質的同期した周期光を発する発光部を有することを特徴とする。また、反射部は、放物線の移動軌跡に近い曲面を用い、小型化と前面への光の集中化を達成した。【選択図】図４
2007059366.tif 000002
【特許請求の範囲】
【請求項１】
発光する複数の発光部と光反射部、点滅制御回路部、電源部とを有する点滅可能な警告灯において、対となる警告灯から発する周期光を信号または周期信号を検知し、それに実質的に同期に近い周期光を発する回路部を有し、実質的に同期した周期光を発する発光部を有することを特徴とする警告灯。
【請求項２】
発光する複数の発光部と光反射部、点滅制御回路、電源部とを組み合わせた点滅可能な警告灯の製法において、対となる警告灯から発する周期光または周期信号を検知する受光部とそれに実質的に同期に近い周期光を発する回路部を組み合わせることを特徴とする警告灯の製法。
【請求項３】
発光する複数の発光部と、点滅制御回路部、電源部とを有する点滅可能な警告灯において、対となる警告灯に接続可能な信号端子を有し、それに実質的に同期に近い周期光を発する回路部を有し、実質的に同期した周期光を発する発光部を有することを特徴とする警告灯。
【請求項４】
発光する複数の発光部と、点滅制御回路部、電源部とを有する点滅可能な警告灯において、対となる警告灯の発する電磁波、音波（超音波を含む）、振動または磁場変化を受信し、それに実質的に同期に近い周期光を発する回路部を有し、実質的同期した周期光を発する発光部を有することを特徴とする警告灯。
【請求項５】
発光する複数の発光部と、点滅制御回路部、電源部とを有する点滅可能な警告灯において、対となる警告灯から発する信号として検知後、一定時間のみまたは定時間のみに作動する回路部を有し、それに実質的に同期に近い周期光を発する回路部を有し、実質的に同期した周期光を発する発光部を有することを特徴とする節電型警告灯。
【請求項６】
発光する複数の発光部と、点滅制御回路部、電源部とを有する点滅可能な警告灯において、対となる警告灯の発する電磁波、音波（超音波を含む）、振動または磁場変化を受信し、それに実質的に同期に近い周期光を発する受信部と回路部を有し、実質的同期した周期光を発するＬＥＤ発光部または多色ＬＥＤ発光部とを有することを特徴とする警告灯。
【請求項７】
発光する複数のコーン型外形、箱型外形または矢印型外形の発光部と、点滅制御回路部、電源部とを有する点滅可能な警告灯において、対となる警告灯の発する電磁波、音波（超音波を含む）、振動または磁場変化を受信し、時差同期した周期光を発する発光部を有することを特徴とする時差型警告灯。
【請求項８】
請求項１，３，４，５，６、７において、雨、消火水などの水に耐えるように電子部が容器、蝋、樹脂で封入されているか、または／および、積み重ね可能な外形であること、または／および、残光性物質を外部に配したことを特徴とする耐水併用可能な警告灯。
【請求項９】
発光する複数の発光部と反射部、点滅制御回路部、電源部とを有する点滅可能な警告灯において、対となる警告灯の発する電磁波、音波（超音波を含む）、振動または磁場変化を受信し、それに実質的に同期に近い周期光を発する受信部と回路部を有し、実質的同期した周期光を発するＬＥＤが一列配置され、さらに前面が開いた反射部で他方が囲まれた発光部を有することを特徴とする警告灯。
【請求項１０】
発光する複数の発光部と光反射部、点滅制御回路部、電源部とを有する点滅可能な警告灯において、その反射曲面は、凹曲線をほぼ直線または曲線に沿って平行にずらせて出来る軌跡の面であり，かつ周期光を発する発光部を有することを特徴とする警告灯。
【請求項１１】
発光する複数の発光部と光反射部、点滅制御回路部、電源部とを有する点滅可能な警告灯において、その反射曲面は、その凹曲線は、少なくとも放物線の一部でありその凹曲線をほぼ直線に沿って平行にずらせて出来る軌跡の面であり，かつ周期光を発する発光部を有することを特徴とする警告灯
【請求項１２】
発光する複数の発光部と光反射部、点滅制御回路部、電源部とを有する点滅可能な警告灯において、その反射曲面は、凹曲線をほぼ直線に沿って平行にずらせて出来る軌跡の面と実質的に平面との組み合わせからなる反射面であり，かつ周期光を発する発光部を有することを特徴とする警告灯。
【発明の詳細な説明】
【技術分野】
【０００１】本願発明は新規な簡易警告灯とその製造方法に関する。特に複数の警告光が、同時に点灯すること、すなわち同期または周期化させ、軽くて、小型で、より強い光の印象とし、点滅することを併せ持つ警告灯に関する。
【背景技術】
【０００２】  警告灯には、発煙灯があるが、火が出ること、熱が出て危険であるなどの多くの欠点があるため、既に本発明者らは、ＬＥＤなどを持いた点滅警告灯を発明してきた。これは、非常に便利であり、既に発炎筒の代わりに、トンネル内工事などや、警察の夜間警告に使われてきた。しかし、要望には限りなく、もっと小型のもの、もっと安価なもの、もっと小さなもの、警備中に盗まれても、被害の軽微なもの、出来れば使い捨て可能なものなどの簡易型が、要求されている。【０００３】小型にすると光量が劣り、必要に応じ、多数の縦、または横に並列に配置して、光量を自由に増加したいと言う要求が出てきた。しかし、複数使用において、各装置がバラバラに点灯しても、個別に点灯しては、人間の目に対して、個別が弱ければ、強い光の印象が軽減されてしまうという重大な欠点があった。強い光として一定方向に集中した警告光が求められていた。
【発明の開示】
【発明が解決しようとする課題】
【０００４】しかしながら従来技術は、簡易型あるいは使い捨て型は、可能であっても、目的によっては、小型ゆえの点滅の光量不足と言う重大な欠点があった。特に警告灯であるので、目に強い印象を残さなければならない。また、雨や水に対しても、耐えなければならない。また、沢山同時に使うと言う案もでてきた。それでも、点滅が各装置によって、マチマチに、また発散して点灯したのでは、目に強い印象を与えないと言う欠点もわかってきた。これらを解決する課題がある。【０００５】また、上記欠点を解消した簡易警告灯の製造方法を提供することを目的とする。また矢印のごとく、多数時差使用して順次動くように誘導する時差点灯も必要となった課題がある。夜間の使用が多いので、各装置が何処にあるかも知りたいという課題もあり、多数積み重ねたいという課題もある。さらに、可能な限り節電して、寿命長く使いたいという課題もある。また、全方向に、警告するのではなく、特定の方向に光を集中させたいと言う課題もある。
【課題を解決するための手段】
【０００６】  第一の発明は、発光する複数の発光部と光反射部、点滅制御回路部、電源部とを有する点滅可能な警告灯において、対となる警告灯から発する周期光を信号として検知しそれに実質的に同期に近い周期光を発する回路部を有し、実質的に同期した周期光を発する発光部を有することを特徴とする警告灯である。【０００７】  例えば、発光部としては、ＬＥＤ（ライトエミッテングダイオード）がある。ＬＥＤは、近時著しく発達した。点滅制御回路部としては、例えば、ＩＣ（インテグラルサーキット）などのロジック回路を持いて、点滅化信号が送れる。電源部としては、各種の電池が好ましく用いられる。点滅により、目に強い印象をあたえる。対となる警告灯から発する周期光を信号として検知しそれに実質的に同期に近い周期光を発する回路部としては、最初の点滅信号を受光して、それに併せた信号を発する。【０００８】受光部としては、光感知素子がある。実質的に同期に近い周期光を発する回路部としては、例えば、受信信号を基にして、ＩＣ（インテグラルサーキット）などのロジック回路、マイクロコンピューターなどを持いて、点滅化信号が送れる。これらの例示は、ここでの全ての文章に対して、限定するものではなく、あくまでもこの分野の専門家に対して理解を容易にするための例示であることを断って置きたい。この場合も以下の発明も、全体形状が、箱型が特に好ましい。積み重ねや、配列が容易、設計・構造がシンプルだからである。発光方向は、この場合も以下の発明も、一定方向が特に好ましい。光が発散しないからである。ミラー（鏡の素材は問わない）または、反射フイルムを使用することが好ましい。反射面は、方物面またはそれに近い面の一部以上が使われていることが好ましい。【０００９】ここで、図１を参照しつつ、説明する。平面状で一定点Ｆと一定直線ｍからの距離が相等しい点  Ｐ  の描く図形が放物線として知られている。Ｘ線上で  Ｆをその焦点、Ｘ線上で、０点から（−ｄ）の点を通りＹに平行な線ｍをその準線ｍという。Ｐ点から、ｍへの垂線の交点をＨ  定義する。Ｆ点から出た光は、放物面上の点Ｐで反射し、Ｈ→Ｐ  の線上を全て平行に走る。今焦点Ｆ（Ｘ軸でｄ）と準線  ｍ（Ｘ軸で−ｄを通る線）の間の距離を２ｄとすると、Ｙ２＋（Ｘ−ｄ）２＝（Ｘ＋ｄ）２すなわちＹ２＝４ｄＸの式である。Ｘは横軸、Ｙは縦軸、ｄ＝Ｘ線上の０からの距離すなわち、Ｆ点で、焦点  Ｆ＝ｄをそこに配する。すなわち右開き横向きの放物線である。【００１０】自己の受信素子と、自己の発信素子が干渉しないように配置することは、重要である。光が平行光線になって、散乱しがたいからである。他の発明についても全て同じことが言える。【００１１】第二の発明は、発光する複数の発光部と光反射部、点滅制御回路、電源部とを組み合わせた点滅可能な警告灯の製法において、対となる警告灯から発する周期光を検知する受光部とそれに実質的に同期に近い周期光を発する回路部を組み合わせることを特徴とする警告灯の製法である。【００１２】光反射部には、ミラー、ミラーフイルムなどがあり、光を反射するものが用いられる。曲面は、放物線が好ましい（パラボラアンテナの逆原理）。【００１３】第三の発明は、発光する複数の発光部と、点滅制御回路部、電源部とを有する点滅可能な警告灯において、対となる警告灯に接続可能な信号端子を有し、それに実質的に同期に近い周期光を発する回路部を有し、実質的同期した周期光を発する発光部を有することを特徴とする警告灯である。【００１４】この場合、接続可能な信号端子は、信号の発信と受信の両方の端子を容器の外部へと出しておく。例えば、プラグジャック、差込プラグなどである。電気の知識を有するものならば、本件は発明の思想があれば、その後は実行としては、容易である。【００１５】第四の発明は、発光する複数の発光部と、点滅制御回路部、電源部とを有する点滅可能な警告灯において、対となる警告灯の発する電磁波、音波（超音波を含む）、振動または磁場変化を受信し、それに実質的に同期に近い周期光を発する回路部を有し、実質的同期した周期光を発する発光部を有することを特徴とする警告灯である。赤外線、紫外線、電波、特定の信号的可視光なども含む。【００１６】電磁波には、光もあるが、無線の電波などがある。電波を受信して同期させる。音波（超音波を含む）は、スピーカーとマイクロフォンの組み合わせで同期できる。音波には、２種以上の複合音も含まれる。この方が、雑音で作動しないからである。電話音のように、２種の音波（トーンの合成音）でも作動できる。【００１７】振動は、発信のバイブレーターと、受信の加速度センサーの組み合わせで実質的に同期できる。磁場変化は、発信の電磁石と、受信のホール素子との組み合わせで可能である。【００１８】第五の発明は、発光する複数の発光部と、点滅制御回路部、電源部とを有する点滅可能な警告灯において、対となる警告灯から発する信号として検知後、一定時間のみまたは定時間に作動する回路部を有し、それに実質的に同期に近い周期光を発する回路部を有し、実質的同期した周期光を発する発光部を有することを特徴とする節電型警告灯である。【００１９】信号として検知した後、一定時間後、一定時間のみまたは定時間に作動する回路部としては、受信は前記の通りであるが、タイマー回路（タイムスイッチ）を、導入することに達成できる。これにより、節電が可能で、長く使用できることに繋がる。作動が止まった時は、リセットボタンなどでリセットが可能なようにする手段がある。【００２０】第六の発明は、発光する複数の発光部と、点滅制御回路部、電源部とを有する点滅可能な警告灯において、対となる警告灯の発する電磁波、音波（超音波を含む）、振動または磁場変化を受信し、それに実質的に同期に近い周期光を発する受信部と回路部を有し、実質的同期した周期光を発するＬＥＤ発光部を有することを特徴とする警告灯である。【００２１】これは、エネルギー効率の良いＬＥＤを発光部にした物である。【００２２】第七の発明は、発光する複数のコーン型外形、箱型外形または矢印型外形の発光部と、点滅制御回路部、電源部とを有する点滅可能な警告灯において、対となる警告灯の発する電磁波、音波（超音波を含む）、振動または磁場変化を受信し、時差設定部と同期した周期光を発する設定に対応した時差発光部を有する回路部とからなることを特徴とする時差型警告灯である。【００２３】時差設定部とは、遅延タイマーの設定であり、その設定は、ボリュームまたは、多段設定スイッチで、行う。設定に対応した時差発光部としては、遅延タイマーが内臓される。これを並べると、順次点灯ができ人や車の誘導が可能で、また節電も可能で、長く使用できることに繋がる。【００２４】第八の発明は、発光する複数の発光部と、点滅制御回路部、電源部とを有する点滅可能な警告灯において、対となる警告灯の発する電磁波、音波（超音波を含む）、振動または磁場変化を受信し、それに実質的に同期または時差に近い周期光を発する受信部と回路部を有し、回路部には多色化可能な制御部を有し、実質的同期した、または時差型の周期光を発する多色ＬＥＤ発光部を有することを特徴とする多色型警告灯である。【００２５】多色ＬＥＤ発光部としては、ＲＧＢの３本の足があり、どの組み合わせに通電するかによって、色が変わる。その種のタイプのＬＥＤを用いる点が異なるが、作動原理は同じである。但し、カラフルなので、効果は異なってくる。【００２６】第九の発明は、上記１，３から８番目の発明において、雨、消火放水などの水に耐えるように電子部が容器、蝋、樹脂で封入されているか、または／および、積み重ね可能な外形であること、または／および、残光性物質を外部に配したことを特徴とする耐水併用可能な警告灯である。【００２７】使用に当たっては、晴天の日ばかりとは、限らない。雨の日もあれば消火作業時の群集（野次馬）隔離などの使用では、放水が振り掛かることさえありうる。雨、消火放水などの水に耐えるようにするには、電子部を水に耐えるようにシールすることであり、容器に入れるか、蝋や樹脂でシールされる、または、ソリッドステート化される。外形は、シャープなエッジの無い箱型が好ましい。横に並べるのも良いし、縦に積み重ねてもよい。安価、軽量の材料が使用される。【００２８】また、警察や警備員が使用するとき、車が来て跳ね上げたとき、むしろ硬い，重い物は、他に大きな害を及ぼすことも考えられるので、潰れてしまう方が好ましい。一見商品価値が少ないように見えるが、普通の扱いには耐えるが、それ以外は、一見「ひ弱な」方が好ましいことになる。緊急の時は、風、水、盗難（夢中で警備に当たっている間にいたずらや失敬するのがいることもあるので）も配慮して、応急としてガムテープで固定される。この方が、実質的である。余計な突起や、はめ込みや紐通し穴を設けることもでき、否定されないが、融通性をかくことが多い。発光、好ましくは（蛍光）残光物質が塗布または貼り付けられていることが好ましい。使用は昼間とは限らないからであり、夜間の片付け作業（使い捨てであっても）をより容易にする。残光が目印になるからである。【００２９】表面にマジックファスナーを設けることは、好ましい。横にも、縦にも可能で、固定が効き、風、水にも耐えるし、取り外しが効く。貼り付け型のマジックファスナーも市販されている。必要に応じ、貼り付けできる。【００３０】第１０の発明は、発光する複数の発光部と、点滅制御回路部、電源部とを有する点滅可能な警告灯において、対となる警告灯の発する電磁波、音波（超音波を含む）、振動または磁場変化を受信し、それに実質的に同期に近い周期光を発する受信部と回路部を有し、実質的同期した周期光を発するＬＥＤが一列配置され、さらに反射部で他方が囲まれた発光部を有することを特徴とする警告灯である。【００３１】ＬＥＤが一列配置された発光部で、片面に放物線（または近傍）の反射部があるので、光が分散せず、特定の方向に集中する。一列配置により、素材・部品が少なくなり、反射ミラーが、簡単になり、必要素材が少なく、軽量になった。また、箱型化が可能になった。【００３２】第１１の発明は、発光する複数の発光部と光反射部、点滅制御回路部、電源部とを有する点滅可能な警告灯において、その反射曲面は、凹曲線をほぼ直線または曲線に沿って平行にずらせて出来る軌跡の面であり，かつ周期光を発する発光部を有することを特徴とする警告灯である。
その反射曲面は、凹曲線をほぼ直線に沿って平行にずらせて出来る軌跡の面である。易しく例示的に説明するならば、長方形の紙を、長手に沿って曲げた形に実質的に等しいとも言える。図２では、Ｍ２に相当する。【００３３】第１２の発明は、発光する複数の発光部と光反射部、点滅制御回路部、電源部とを有する点滅可能な警告灯において、その反射曲面は、その凹曲線は、少なくとも放物線の一部でありその凹曲線をほぼ直線に沿って平行にずらせて出来る軌跡の面であり，かつ周期光を発する発光部を有することを特徴とする警告灯である。
放物線の特徴は、定点（図１では、Ｆ点）に光源を配するとその面で、反射して、強い並行線となって、前方に反射する。【００３４】第１３の発明は、発光する複数の発光部と光反射部、点滅制御回路部、電源部とを有する点滅可能な警告灯において、その反射曲面は、凹曲線をほぼ直線に沿って平行にずらせて出来る軌跡の面と実質的に平面との組み合わせからなる反射面であり，かつ周期光を発する発光部を有することを特徴とする警告灯である。【００３５】図２では、反射面は実質的に平面Ｍ１に相当する。この特徴は、上部も下部も放物線の移動軌跡面を用いると、大きな場所をとるので、放物線の半分を用い、他は、平板（ミラー）にしたので空間が半分となり、光源（ＬＥＤなど）が配置しやすいのも長所である（図３では、Ｄ部）そこで電気回路が容易な配置が可能となった。平面で反射した光の多くは、再び曲面を経て、前方に反射される。
【発明の効果】
【００３６】１）使い捨ての小さな光源のタイプで多数使用でも、同期するので、全体としては強い警告の光の印象が得られる警告灯（発炎筒の代わり）になった。
２）多数使用時にバラバラに点灯しない。
３）順次（時差）点灯により、誘導も可能となった。
４）使い捨てが可能である。高価な設計が不要。
５）片面に光が集中でき、強い光になる。（全方向に発散しない）【００３７】６）軽くできる。
７）弱くでき、車で跳ね飛ばしても危険が少ない。
８）水に耐え易い。
９）積み重ねや、配列が容易である。
１０）マジックファスナーを使用すれば、縦・横接着が可能である。【００３８】１１）密封型やソリッドステート型が可能となった。
１２）多数の使用でも、片面に光が集中できる。
１３）多数使用に適している。
１４）携帯が容易。（小型・軽い・使い捨て）
１５）登山、釣りにも使える。（小型・軽い・使い捨て）【００３９】１６）沢山並べれば、文字にできる。
（板・壁に貼り付けて、臨時ネオンサイン化可能）
１７）解体が容易である。
１８）曲面と平面の組み合わせにより、小型化が可能になった。
１９）多色化できる。
２０）回路部と発光部が同一基板にあるため、再利用が可能である。
【発明を実施するための最良の形態】
【実施例】
【００４０】    以下の実施例により、本発明を更に詳細に説明する。しかし、本実施例により、本発明の有効性が，限定解釈されるものではない。
【実施例１】
【００４１】硬い紙に、反射フイルム（ＰＥＴにメタライジングした鏡のようなフイルム：大阪江坂：東急ハンズで購入）を貼り付けＬＥＤ対応の穴を開けた。そこに（平板相当）ＬＥＤ５個を一列に配した。そのＬＥＤを基点として反射鏡面フイルム（ボール紙に貼り付けたもの）を半放物面状に曲げ、光が前面に平行に出るように、配置した。これを方形のアクリルの透明箱に収めた。通電テストにて光がほぼ平行に前方に反射されるように、半放物面を固定した。（平行な光が実質的に前に行くようにするための曲面の理想的な、計算式は、すでに述べた。現実は完璧はありえず、近いものとなっている。光源は、Ｘ線上でＦを＋ｄの位置にＬＥＤを配置した）【００４２】ここで、受信部は、東芝製フォトトランジスター（ＴＰＳ６０１Ａ）を用いた。送信部は、ＬＥＤの光を、他の本発明の箱に照射した。ＬＥＤとしては、シャープ社製ＬＥＤ（ＧＭ５ＹＪ０１２１０Ａ）を、５個一列に並べた。その位置は、放物線のＦ点に相当する。制御回路図としては、図４に掲げた。これらの平板は、その裏を電子回路部（Ｄ）に充当した。アクリルガラス部は、透明なので、受信部は、Ｄ部の前に配した。【００４３】乾電池は、アルカリ電池単３を３個用いた。チューブ（筒）中に収めた。横から挿入し、蓋をねじってとめ電源とした。作動電圧は４．５ボルトに近い。回路図は、図４に示した。同じものをもう１個準備し、点滅発光の同期化に成功した。【００４４】図４において、２台の装置を準備し、１台の装置の送信部から点滅情報を送る。他の同じ警告灯の受信部から信号を受け取り、受け取った情報に従いＣＰＵから同期した信号をドライバーに送る。ＣＰＵのプログラムに点滅周期を、１秒間に１０回の点滅信号となるように、設計した。【００４５】ドライバーは、微弱電流を大きな電流としてＬＥＤを発光できるようにする。Ｒ−Ａは、ＬＥＤを発光させるための適切な電流値にする。赤色のＬ−Ａ１，Ｌ−Ａ２、Ｌ−Ａ３，Ｌ−Ａ４で、発光させた。ＶＣＣは動作電圧である。ＸＴＡＬは、ＣＰＵを動作させる基本クロックを発生させるための水晶発信子とした。結果として、この２台の装置は、同一周期で順調に作動した。
【実施例２】
【００４６】実施例１において、ドライバーをＬＥＤのＲＧＢに対応させて、３個用意し、ＣＰＵで３個のドライバーを制御して、必要とする色を発光させた。色は、黄色にした。実施例１と同様で、色のみ異なる結果をえた。
【産業上の利用可能性】
【００４７】本発明は，警察の取締り時の簡便な、警告表示、火事の進入禁止表示、人・車の誘導表示、（高速）道路の事故・工事の警告、交通取り締まり、災害時の警備、進入禁止、パンク修理・故障時の警告、トンネル内の危険表示（煙が出ない）、遭難時のヘリコプターへの存在の信号（深夜）、地震割れ目・陥没、土砂崩れなどの緊急表示、登山・釣り、船舶などに有効に使用できる。
【図面の簡単な説明】
【００４８】
【図１】は本願発明に述べる放物線の一部と光源との関係を示す図である。
【図２】は、反射ミラー図である。
【図３】は、本発明の全体を示す１つの実施様態の図である。
【図４】は、制御部のブロック図である。
【符号の説明】
【００４９】（図１）
Ｘは横軸、
Ｙは縦軸、
ｍは準線、
Ｐは、放物線上の点、
Ｆは一定点であり、光源部に相当し、
０は、ＸとＹとの交点、
ｄは、Ｙ軸との距離で、光源を配する位置、
−ｄは、０点を基準としたＹ軸とのＸ線上の距離で、準線の位置、
である。
【００５０】（図２）
Ｍ１は、内面がミラーになっている平面を示し、
Ｍ２は、内面がミラーになっている放物線の並行移動軌跡の曲面の一部、
である。
【００５１】（図３）
Ｔは、乾電池を収納するチューブ、
Ｋは、乾電池、
Ｂは、透明ボックス、
Ｌは、ＬＥＤを配した光源、
Ｄは、ＬＥＤなどを電気的に制御する制御部であり、
Ｍ１は、反射平面（内面がミラーになっている平面）、
Ｍ２は、反射曲面（内面がミラーになっている放物線の並行移動軌跡の平面の一部）である。
【００５２】（図４）
ＸＴＡＬ、は水晶発信子、
Ｃは、コンデンサー、
ＣＰＵは、マイクロコンピューター、
Ｒ−Ａは、抵抗、
Ｌ−Ａ１、Ａ２，Ａ３，Ａ４，Ａ５は、ＬＥＤである。
【図１】
2007059366.tif 000003
【図２】
2007059366.tif 000004
【図３】
2007059366.tif 000005
【図４】
2007059366.tif 000006